(57)【特許請求の範囲】
【請求項１】
被燃料供給体に燃料供給を行なう燃料供給系統に対して燃料供給の許可を指示するための許可入力手段と、
前記燃料供給系統により燃料供給が行なわれた際に、当該燃料供給が行なわれた時刻と当該時刻において行なわれた燃料供給量とを対応付けて燃料供給情報として記憶する燃料供給情報記憶手段と、
所定期間内の燃料供給情報の集計を指示するための集計指示手段と、
前記集計指示手段により集計が指示された場合には、前記燃料供給情報記憶手段に記憶された燃料供給情報に基づき所定期間内の燃料供給情報を集計する集計手段と、
を有する燃料供給管理装置において、
前記集計指示手段に集計開始の指示を手動操作により入力する集計開始入力手段を設け、
前記集計指示手段は、前記集計開始入力手段により集計開始の指示がなされた場合には、前回集計処理を行なった時刻からの経過時間が所定時間を越えていることを条件に、前記集計手段に集計指示を出力することを確認する画面を表示する確認手段を有することを特徴とする燃料供給管理装置。
【請求項２】
前記集計指示手段は、前記集計開始入力手段より集計開始の指示がなされた場合において、前回集計処理を行なった時刻からの経過時間が所定時間を越えていない場合には、前記集計処理を行うか否かを確認する画面を表示することを特徴とする請求項１に記載の燃料供給管理装置。
【請求項３】
前記集計指示手段は、前記集計開始入力手段より集計開始の指示がなされた場合において、前回集計処理を行なった時刻からの経過時間が所定時間を越えていない場合には、集計指示を前記集計手段に出力することを拒否する拒否手段を有することを特徴とする請求項１に記載の燃料供給管理装置。
【発明の詳細な説明】
【技術分野】
【０００１】
本発明は燃料供給管理装置に係り、特に燃料供給情報を管理する燃料供給管理装置に関する。
【背景技術】
【０００２】
給油所等の燃料供給所に設置され、車両などの被燃料供給体に対して燃料を供給するための燃料供給機を管理する燃料供給管理装置においては、燃料供給が行なわれる毎に当該燃料供給が行なわれた時刻と当該時刻において行なわれた燃料供給量とを対応付けて燃料供給情報として記憶し、燃料供給所を閉店する際にその日に燃料供給機により供給された燃料の供給毎の供給金額や供給された各燃料の種類毎の供給量、あるいはプリペイドカードの販売枚数などを集計するなどの集計処理を行ない、この集計処理結果としての日報を印刷する日報処理を行なっている（例えば、特許文献１参照）。
【０００３】
また、２４時間営業の燃料供給所においては、例えば、午前１時などの予め決められた時刻に燃料供給所の係員が燃料供給管理装置に対してその日の集計処理を行なうように指示を入力することにより集計処理が行われるようになっている。
【０００４】
ところで、燃料供給管理装置が上記集計処理を行なっている最中に燃料供給機で燃料供給が行なわれている場合、係員としては現在燃料供給が行なわれている燃料供給情報が当該集計処理に含まれる燃料供給情報となるのか否かが分からなくなってしまうという問題がある。
【０００５】
このため、集計処理を行なう場合は、燃料供給を禁止し、この間に集計処理を行なうようにしている。
【０００６】
上記従来の燃料供給管理装置では、集計処理を行なうのに際し、燃料供給が全く行なわれていないことを係員自身が確認してから集計処理開始の指示を行なわなければならず、燃料供給機で燃料供給が行なわれている場合には、この燃料供給が終了するのを待って集計指示を入力する必要があり、この待っている間は他の処理を行なうことができず、集計処理が遅れるという問題がある。
【０００７】
特に、複数の燃料供給機を管理する燃料供給管理装置においては、集計処理を行なう場合には、全ての燃料供給機の稼動状況を判断する必要があり、非常に手間がかかる。さらには、燃料供給所において、複数箇所に燃料供給機が混在している場合には、複数の燃料供給機における燃料供給が全て行なわれていない状況を把握することが難しく、この結果、集計処理を決まった時間帯（閉店時間の前後）に効率良く行なうことが難しかった。
【０００８】
このような問題に対処する方法として、本出願人は、特許文献２により集計の指示がなされた場合には、燃料供給機による燃料供給がなされていないときに集計を行なうようにした装置を提案している。
【先行技術文献】
【特許文献】
【０００９】
【特許文献１】特開２００２−３６２６９８号公報
【特許文献２】特開２００９−１３３０号公報
【発明の概要】
【発明が解決しようとする課題】
【００１０】
ところが、各燃料供給所によってその日の燃料供給情報（給油情報）を集計するタイミングや集計方法が異なるため、燃料供給管理装置での集計処理の対応も一様ではない。
【００１１】
集計方法としては、
（Ａ）予め決められた所定の時刻になると自動的に集計処理を行なう。
【００１２】
（Ｂ）作業員が燃料供給機の稼動状況を見ながら燃料供給機が燃料供給していないときに手動操作により集計処理を行なう。
【００１３】
（Ｃ）通常は所定の時刻に集計処理を自動的に行なっているが、その日の状況によって定刻より早い時刻または遅い時刻に集計処理を手動操作の指示により行なう。
上記（Ａ）〜（Ｃ）の場合がある。
【００１４】
従って、燃料供給管理装置では、上記（Ａ）〜（Ｃ）の何れの場合にも対応することができるように自動的に所定の時刻に集計処理を行なうとともに手動により集計処理の指示があった場合にも集計処理を行えるように構成することが考えられる。
【００１５】
しかし、この場合、何時でも手動操作によって集計処理を実行することができることになり、例えば、前回の手動操作による集計処理を行なったにもかかわらずこれを忘れて再度手動による集計処理を行なってしまったり、手動による集計処理を行なった直後に自動による集計処理の時刻が到来した場合には、不必要に集計処理が行なわれることになる。これにより、同じ日（所定期間内）に２つの集計結果が存在することになり、混乱を招くおそれがある。
【００１６】
そこで、本発明は上記事情に鑑み、上記課題を解決した燃料供給管理装置を提供することを目的とする。
【課題を解決するための手段】
【００１７】
上記課題を解決するため、本発明は以下のような手段を有する。
（１）本発明は、被燃料供給体に燃料供給を行なう燃料供給系統に対して燃料供給の許可を指示するための許可入力手段と、
前記燃料供給系統により燃料供給が行なわれた際に、当該燃料供給が行なわれた時刻と当該時刻において行なわれた燃料供給量とを対応付けて燃料供給情報として記憶する燃料供給情報記憶手段と、
所定期間内の燃料供給情報の集計を指示するための集計指示手段と、
前記集計指示手段により集計が指示された場合には、前記燃料供給情報記憶手段に記憶された燃料供給情報に基づき所定期間内の燃料供給情報を集計する集計手段と、
を有する燃料供給管理装置において、
前記集計指示手段に集計開始の指示を手動操作により入力する集計開始入力手段を設け、
前記集計指示手段は、前記集計開始入力手段により集計開始の指示がなされた場合には、前回集計処理を行なった時刻からの経過時間が所定時間を越えていることを条件に、前記集計手段に集計指示を出力することを確認する画面を表示する確認手段を有することを特徴とする。
（２）本発明の前記集計指示手段は、前記集計開始入力手段より集計開始の指示がなされた場合において、前回集計処理を行なった時刻からの経過時間が所定時間を越えていない場合には、前記集計処理を行うか否かを確認する画面を表示することを特徴とする。
（３）本発明の前記集計指示手段は、前記集計開始入力手段より集計開始の指示がなされた場合において、前回集計処理を行なった時刻からの経過時間が所定時間を越えていない場合には、集計指示を前記集計手段に出力することを拒否する拒否手段を有することを特徴とする。
【発明の効果】
【００１８】
本発明によれば、集計開始入力手段により集計開始の指示がなされた場合には、その時点までの集計を行なうように集計手段に集計指示を出力し、当該集計指示が出力された同じ日に２回目の集計指示を集計手段に出力しないように制限するため、手動操作により集計指示が出力された場合に所定時刻以外でもその日の集計処理を実行することができ、且つ手動操作により集計指示が出力された後に予め設定された所定時刻に達した場合には、集計指示を出力しないことにより、同じ日の集計処理を２回行なうことを防止できる。
【図面の簡単な説明】
【００１９】
【図１】本発明による燃料供給管理装置の一実施例が適用された燃料供給システムを示す斜視図である。
【図２】燃料供給管理装置を拡大して示す正面図である。
【図３】燃料供給システムの主要構成を示すブロック図である。
【図４】制御装置が実行する制御処理１を説明するためのフローチャートである。
【図５Ａ】カード待ち画面の表示例を示す図である。
【図５Ｂ】日報出力画面の表示例を示す図である。
【図５Ｃ】日報集計出力確認画面の表示例を示す図である。
【図６】制御装置が実行する制御処理２を説明するためのフローチャートである。
【図７】制御装置が実行する制御処理３を説明するためのフローチャートである。
【発明を実施するための形態】
【００２０】
以下、図面を参照して本発明を実施するための形態について説明する。
【実施例１】
【００２１】
図１は本発明による燃料供給管理装置の一実施例が適用された燃料供給システムの要部を示す斜視図である。図１に示されるように、燃料供給システム１０は、例えば、多数の車両Ｔを所有する運送会社等の敷地に設置されており、地下には燃料を貯蔵する地下タンク３０が埋設されている。燃料供給機５０は、地下タンク３０からの燃料供給配管４０が接続され、燃料供給管理装置６０からの許可信号を受けて地下タンク３０の燃料を吸上げて当該車両Ｔの燃料タンク（被燃料供給体）に供給する計量機である。尚、本実施例では、ガソリンや軽油などの液体燃料を給油（燃料供給）する場合を例に挙げて説明する。
【００２２】
燃料供給機５０は、ホース５４及びノズル５２を含む複数の燃料供給系統が接続されており、例えば、軽油用あるいはレギュラーガソリン用の燃料供給系統が設けられている。また、燃料供給機５０は、燃料供給管理装置６０の制御装置と接続されており、後述するように燃料供給管理装置６０において設定操作が完了すると、設定された条件（選択された油種のノズル、給油量）に基づいて給油が許可される。
【００２３】
また、車両Ｔの運転者（操作者）は、給油すべき油種、給油量を各ノズル５２に対応させて燃料供給管理装置６０による設定操作を行なってから車両Ｔの燃料タンクに対するノズル５２を用いた給油操作を行なう。尚、図１においては、１台の燃料供給機５０しか表示していないが、図３に示すように燃料供給管理装置６０により複数の燃料供給機５０１〜５０ｎに対する入力・出力を行なうことも可能である。また、燃料供給機５０では、異なる油種を供給する複数のノズル５２を有する構成としても良いし、あるいは同じ油種を供給する複数のノズル５２を有する構成としても良い。
【００２４】
図２は燃料供給管理装置６０を拡大して示す正面図である。図２に示されるように、燃料供給管理装置６０は、筐体７０の前面パネル７２にタッチパネル方式の液晶モニタ（表示装置）９０と、プリンタ９２と、外側カードガイド部１００とが設けられている。
【００２５】
筐体７０は、正面側に長方形の開口を有する箱状に形成され、開口が前面パネル７２によって閉塞されると共に、前面パネル７２及び各機器との隙間が弾性部材によって気密にシールされている。
【００２６】
また、筐体７０の内部には、制御装置８０（図２中、破線で示す）と、各種データや制御プログラムを記憶する記憶装置（燃料供給情報記憶手段）１２０とが収納されている。また、制御装置８０は、記憶装置１２０から上記各制御プログラムを読み込んで各制御処理を実行する。記憶装置１２０は、燃料供給機５０のノズル５２から車両Ｔへの燃料供給が行なわれる度に供給された油種、給油量、給油金額、日時、カードデータなどの給油情報（燃料供給情報）と燃料供給が行なわれた時刻とを対応付けて燃料供給情報として記憶する給油情報データベースが格納されている。また、制御装置８０は、集計開始の指示がなされた場合には、前回集計処理を行なった時刻からの経過時間が所定時間を越えていることを条件に、集計指示を出力することを確認する画面を表示する制御プログラム（集計指示手段）を実行する。
【００２７】
また、筐体７０は、上面、及び左右側面がカバー部材６４によって覆われており、液晶モニタ９０に太陽光が照射されないようになっている。
【００２８】
液晶モニタ９０は、タッチパネル方式の画面を有するため、操作者に対して操作手順をガイダンスしながら設定内容を表示する表示装置と、運転者が表示画面に触れることにより設定情報を入力する入力装置とを兼ねている。
【００２９】
外側カードガイド部１００は、各運転者あるいは各車両毎に発行された磁気カードが挿入されるカード挿入口１０２を有する。外側カードガイド部１００の内側には、カード挿入口１０２に通された磁気カードに記録された識別データを読み取るカードリーダユニット１１０（図２中破線で示す）が収納されている。カードリーダユニット１１０は、カード挿入口１０２の上部に挿入されたカードがカード挿入口１０２の延在方向に沿って下方に移動操作すると、当該カードの磁気記録部に記録されたデータを読み取る磁気ヘッドを有する。
【００３０】
プリンタ９２は、例えば、サーマルプリンタなどからなり、感熱紙を加熱して文字や数字を印字するヘッドを有しており、給油が終了すると、給油された日時、油種、給油量、カード番号などを印字したレシートをレシート発行口９４から発行する。また、プリンタ９２としては、インクジェットノズルを加熱してインクの粒子を印刷用紙に噴射するインクジェット方式のものでも良い。
【００３１】
また、プリンタ９２のレシート発行口９４には、透明なアクリル樹脂製の透明蓋９５が取り付けられている。顧客は、透明蓋９５の内側にレシートが排出されたことが視認できると、透明蓋９５の下方からレシートを取り出せる。
【００３２】
図３は燃料供給システム１０の主要構成を示すブロック図である。図３に示されるように、燃料供給管理装置６０の制御装置８０は、上記液晶モニタ９０、プリンタ９２、カードリーダユニット１１０、記憶装置１２０と接続され、且つ複数の燃料供給機５０１〜５０ｎと通信可能に接続されている。
【００３３】
ここで、制御装置８０が実行する燃料供給の制御処理について図４に示すフローチャートを参照して説明する。尚、図４の各処理を説明する中で参照すべき液晶モニタ９０に表示される表示画面の表示例を図５Ａ〜図５Ｃに示す。
【００３４】
制御装置８０は、図４に示すＳ１１でノズル５２による給油中の燃料供給系統があるか否かをチェックする。Ｓ１１において、給油中の燃料供給系統が無い場合（ＮＯの場合）は、Ｓ１２に進み、カード待ち画面２００を表示する（図５Ａ参照）。このカード待ち画面２００には、各ノズルに対応するノズル番号０１〜０８と、各ノズル５２により給油される油種名が表示された油種釦２１１〜２１８とが表示されている。さらに、カード待ち画面２００の上部に形成されたガイダンス領域２０９には、「カードを読み込ませて下さい」といったメッセージと、現在の年月日及び時刻が表示される。このメッセージを呼んだ車両Ｔの運転者（操作者）は、会社から発行されたＩＤカードを外側カードガイド１００のカード挿入口１０２に通して、ＩＤカードに記憶された識別データをカードリーダユニット１１０に読み込ませる。
【００３５】
また、図５Ａにおいて、カード待ち画面２００の右下部分には、本日の給油情報の集計開始を入力するための集計釦（集計開始入力手段）２１０が表示される。この集計釦２１０は、給油中に操作された場合、記憶装置１２０に記憶された本日の給油情報の各項目に日報指示フラグが付され給油終了後に集計処理が行なわれて日報が作成されるように設定されている。また、非給油時に集計釦２１０が操作された場合には、その時点で集計開始信号を出力し、集計処理を実行するように設定されている。また、カード待ち画面２００では、油種釦２１１〜２１８のそれぞれにハイオク、レギュラー、軽油、灯油、重油、オイル、ハイオク軽油等の正式な油種名が表示される。また、油種釦２１１〜２１８に対応する各ノズル番号０１〜０８の表示欄は、給油中であるノズルについてハイライト表示（例えば、給油中のノズル番号欄を明るく発光させたり、あるいは赤色や橙色等の目立つ色で表示）を行なう。
【００３６】
また、上記Ｓ１１において、例えば、ノズル掛けスイッチがオンの場合、あるいは給油許可が出力された後に給油終了が送信されない場合（ＮＯの場合）、給油中の燃料供給系統があるものと判定されて、Ｓ１３に進み、給油中画面を液晶モニタ９０に表示する。
【００３７】
次のＳ１４では、カードリーダユニット１１０にＩＤカードに記録されたカードデータが読み取られたか否かをチェックする。また、Ｓ１４でカードデータが入力されたときは（ＹＥＳの場合）、Ｓ１５に進み、図５Ａのカード待ち画面中、ガイダンス領域２０９に表示されている「カードを読み込ませて下さい」の表示に代えて、「ノズルを選択して下さい。」を表示させるとともに、カード番号表示欄２２７には、カードリーダユニット１１０に読み取られた「カード番号：００７」といったカード情報が表示させる。
【００３８】
この状態において、運転者が油種釦２１１〜２１８の何れかを押圧操作することで、これから給油を行なうノズル番号及び油種が指定されると、液晶モニタ９０には、給油量入力画面（図示せず）が表示される。この給油量入力画面は、「給油量を入力して下さい」といったメッセージとともに、上記集計釦の他、任意の給油量の数値を入力するためのテンキーと、入力した数値を表示する数値表示部と、プリセット給油を行なう場合に操作されるプリセット給油釦と、満タン給油を行なう場合に操作される満タン給油釦と、入力した数値が正しいと確認した場合に操作される決定釦とが表示される。
【００３９】
そして、プリセット給油釦とテンキーの操作により数値が入力されるか、あるいは満タン給油釦が操作された後、決定釦がオンに操作されると、Ｓ１６に移行して、上記給油情報（ノズル番号、給油量）が入力されたか否かをチェックする。Ｓ１６において、給油情報（ノズル番号、給油量）が入力されるまでは（ＮＯの場合）、Ｓ１５、Ｓ１６の処理を繰り返す。また、Ｓ１６において、給油情報（ノズル番号、給油量）が入力されると（ＹＥＳの場合）、Ｓ１７に進み、指定されたノズル番号に対する給油許可信号と入力された給油情報（ノズル番号、給油量）を当該指定されたノズルを有する燃料供給機５０に送信する（許可入力手段）。
【００４０】
この後は、再びＳ１１に戻り、指定されたノズルによる給油が開始されている場合は、Ｓ１１からＳ１３の処理に移行して給油中画面を液晶モニタ９０に表示する。
【００４１】
また、上記Ｓ１４において、カードデータが入力されないときは（ＮＯの場合）、Ｓ１８に進み、当該指定されたノズル５２による給油が終了して実給油情報が入力されたか否かをチェックする。そして、Ｓ１８において、実給油情報が入力されたときは（ＹＥＳの場合）、Ｓ１９に進み、入力された実給油情報（ノズル番号、油種、数量、カードデータ、時刻など）を記憶装置１２０に記憶させる。続いて、Ｓ２０に進み、実給油情報を印字した伝票をプリンタ９２から発行する。これで、今回の給油操作が完了したため、上記Ｓ１１の処理に戻る。
【００４２】
上記Ｓ１８において、実給油情報が入力されないときは（ＮＯの場合）、Ｓ２１に進み、日報作成のための集計処理（以下、「日報集計処理」という）を行なうように設定された予約時刻（自動集計指示の時刻）となったか否か、及び、後述の日報集計処理の実行開始を指示する日報指示フラグが存在するか否かをチェックする（集計指示手段）。Ｓ２１において、日報集計処理の実行開始が指示されておらず、かつ、日報指示フラグが存在しないときは（ＮＯの場合）、Ｓ２２に進み、液晶モニタ９０に表示された集計釦（集計開始入力手段）２１０が操作されて日報集計開始の指示（手動集計指示）が入力されたか否かをチェックする。
【００４３】
Ｓ２２において、日報集計開始の指示（手動集計指示）が入力されていないときは（ＮＯの場合）、上記Ｓ１４に戻り、Ｓ１４、Ｓ１８、Ｓ２１、Ｓ２２の処理を繰り返す。
【００４４】
また、上記Ｓ２１において、日報集計処理を行なうように設定された予約時刻（自動集計指示）に達したか、或いは日報集計処理の実行開始を指示する日報指示フラグが存在するとき、またはＳ２２において、日報集計開始の指示（手動集計指示）が入力されたときは、Ｓ２３に進む。尚、上記Ｓ２１による日報の自動作成指示とＳ２２による日報の手動作成指示とのうちどちらか一方が先行して行なわれた集計処理が前回の日報集計処理となる。
【００４５】
Ｓ２３では、前回の日報集計処理を実行した時刻から予め設定された所定時間（例えば、２０時間）が経過したか否かをチェックする。この所定時間は、操作者が任意の時間に設定することができ、例えば、３０分以下に設定することも可能であり、あるいは１時間あるいは１２時間といった具合に給油所の営業形態によって適宜、設定されるものである。
【００４６】
例えば、通常の日報集計処理を実行する時刻がその日の給油回数（顧客数）の最も少ない時間帯に設定されている場合には、前回の日報集計処理を行なってから１時間が経過したとしても、給油回数が数回程度の場合がある。このように、給油回数の少ない時間での日報集計処理を行なう必要性が低い場合には、日報集計開始の指示（手動集計指示）があっても日報集計処理を行なうか否かを入力操作した本人に確認するための画面を表示することが望ましい。
【００４７】
Ｓ２３において、前回の日報集計処理を実行した時刻から予め設定された所定時間（例えば、２０時間）が経過していない場合（ＮＯの場合）は、本日の給油情報に切り替わってからの経過時間が少なく集計処理の必要がない可能性が高いものと判断し、Ｓ２４に進み、前回の日報集計結果及びその日時の日報出力画面２６０（図５Ｂを参照）を液晶モニタ９０に表示する。前回の日報出力画面２６０は、例えば、図５Ｂに示されるように、本日の年月日、集計時刻、油種、総給油量、総給油金額が表示される。次のＳ２５では、日報集計出力確認画面２７０（図５Ｃを参照）を液晶モニタ９０に表示する（確認手段）。
【００４８】
次のＳ２６では、日報集計出力確認画面２７０の操作により日報の出力指示が入力されたか否かをチェックする。図５Ｃに示されるように、日報集計出力確認画面２７０は、「本日の日報を出力しますか」といったメッセージが表示されたメッセージ表示領域２７２に、はい釦（承認釦）２７４と、いいえ釦（拒否釦）２７６と、集計予約釦（集計時刻設定）２７８とが表示される。
【００４９】
この状態において、係員は、前回の集計時刻を確認できることになり、この集計時刻と現在の時刻から集計処理の必要性を再確認し、集計処理が必要であると判断した場合には、はい釦２７４が押圧操作する。すると、日報の出力指示が入力されると共に、本日の給油情報の集計処理を行なって集計結果（日報）のデータがプリンタ９２に出力される。また、いいえ釦２７６が押圧操作されると、集計処理をキャンセルすることができ、本日の給油情報の集計処理を間違えて行なうことが無いようにすることができる。なお、集計予約２７８が押圧操作されると、例えば、集計処理の結果（日報）を出力するための任意の時刻を設定するための時刻設定画面に移行する。
【００５０】
次のＳ２７では、給油中の燃料供給系統（ノズル）があるか否かをチェックする。Ｓ２７において、給油中の燃料供給系統（ノズル）がない場合（ＮＯの場合）は、Ｓ２８に進み、記憶装置１２０に記憶された各給油情報のうち日報出力済みのフラグが付されていない給油情報を集計して日報出力画面２６０に示されるように、前回の日報作成以後に給油された情報の集計結果を液晶モニタ９０に表示してプリンタ９２より本日の日報（給油情報の集計結果）を印字する(集計手段)。
【００５１】
尚、本実施例では、給油情報の集計結果を日報としてプリンタ９２により印字した用紙を出力する場合を例に挙げて説明したが、これに限らず、例えば、通信装置及び通信回線を介して外部の制御機器（管理コンピュータあるいはサーバなど）に送信する出力手段を用いることも可能である。
【００５２】
次のＳ２９では、記憶装置１２０に記憶された各給油情報うち日報出力済みの各項目に付された日報指示フラグを抹消する。
【００５３】
また、上記Ｓ２７において、給油中の燃料供給系統（ノズル）がある場合（ＹＥＳの場合）は、Ｓ３０に進み、記憶装置１２０に記憶された各給油情報うち前回の日報作成以後に給油された情報の各項目の日報指示フラグを記憶する。この後は、再びＳ１１の処理に戻る。
【００５４】
上記Ｓ２１で予め設定された所定時刻に給油情報の集計処理（自動集計）を行なって日報を作成するケースと、Ｓ２２で液晶モニタ９０に表示された集計釦２１０が操作されて日報集計開始の指示（手動集計指示）が入力されて日報を作成するケースとの何れか一方を選択的に行えるので、例えば、通常は、所定時刻に給油情報の集計処理を行ない、何らかの理由で閉店時間を早める日だけ手動操作により指示した任意の時刻で給油情報の集計処理を適宜行えるように切換えることが可能になり、間違えて集計処理を行なうことを未然に防止することが可能になる。
【００５５】
ここで、制御装置８０が実行する制御処理の変形例について説明する。図６は制御装置が実行する制御処理２を説明するためのフローチャートである。尚、図６において、前述した図４のフローチャートと同じ処理については、同じ符合を付してその説明を省略する。
【００５６】
図６において、Ｓ２３において、前回の日報集計処理を実行した時刻から予め設定された所定時間が経過していない場合（ＮＯの場合）は、本日の給油情報に切り替わってからの経過時間が少ないので、Ｓ２４ａに進み、日報出力拒否のメッセージを液晶モニタ９０に表示する（拒否手段）。続いて、Ｓ２５ａに進み、予め設定された所定時間（例えば、３秒）が経過したか否かをチェックする。尚、上記所定時間は、３秒に限らず、３秒以下でも良いし、あるいは４秒〜１０秒の任意の時間を設定しても良い。
【００５７】
Ｓ２５ａにおいて、予め設定された所定時間が経過した場合（ＹＥＳの場合）は、Ｓ２６ａに進み、液晶モニタ９０に表示された日報出力拒否のメッセージを消去する。この後は、上記Ｓ１１の処理に戻る。
【００５８】
本変形例では、Ｓ２３において、前回の日報集計処理を実行した時刻から予め設定された所定時間が経過していない場合は、Ｓ２４ａ、Ｓ２５ａ、Ｓ２６ａで日報の作成が拒否されるため、前回の日報出力から所定時間内であれば、給油情報の集計処理（日報の作成）を行なわず、間違えて集計処理を行なうことを未然に防止することが可能になる。
【００５９】
図７は制御装置が実行する制御処理３を説明するためのフローチャートである。尚、図７において、前述した図４、図６のフローチャートと同じ処理については、同じ符合を付してその説明を省略する。
【００６０】
本変形例においては、例えば、当該燃料供給所が２４時間営業を行なっていて日報作成時刻が午前０時（又は２４時）に設定されている場合、日付が変更された時点で前日の日報の集計処理が行なわれる。このように日報の集計が午前０時（又は２４時）に設定されていると、時間で管理するよりも日付で管理した方が管理いやすいケースもある。しかしながら、通常の日付作成時刻以外の時刻に手動操作により日報作成を指示することもあり得るので、Ｓ２３ａにおいて、日付が更新されてから予め設定された所定時間が経過したか否かをチェックする。
【００６１】
尚、日付が更新されてからの所定時間としては、任意の時間を設定することが可能であり、例えば、午前６時の時間を想定する場合には、日付変更から６時間が経過しているか否かを判断基準として設定する。
【００６２】
Ｓ２３ａにおいて、日付が更新され、予め設定された所定時間が経過していない場合（ＮＯの場合）は、例えば、午前３時の時点であれば本日の給油情報に切り替わってからの経過時間が少なく、給油回数が少ないので、集計処理の必要がない可能性が高いものと判断し、Ｓ２４に進み、前日の日報集計結果及びその日時の日報出力画面２６０（図５Ｂを参照）を液晶モニタ９０に表示する。
【００６３】
この後のＳ２５で日報集計出力確認画面２７０（図５Ｃを参照）を液晶モニタ９０に表示する（確認手段）。そして、Ｓ２６において、日報集計出力確認画面２７０の操作により日報の出力指示が入力された場合は、あるいは、Ｓ２３ａにおいて、日付が更新され、予め設定された所定時間（例えば、６時間）が経過している場合（ＹＥＳの場合）は、給油回数がかなり累積されている可能性が高いので、Ｓ２７〜Ｓ３０の処理を実行する。すなわち、Ｓ２７において、給油中の燃料供給系統（ノズル）がない場合（ＮＯの場合）は、Ｓ２８に進み、記憶装置１２０に記憶された各給油情報のうち日報出力済みのフラグが付されていない給油情報を集計して日報出力画面２６０に示されるように、前回の日報作成（午前０時の日報集計処理）以後に給油された午前０〜現在の時刻（午前６時以降）までの情報の集計結果を液晶モニタ９０に表示してプリンタ９２より本日の日報（給油情報の集計結果）を印字する。
【００６４】
また、通常は午後９時に日報集計処理を実行するように設定されている燃料供給所の場合、Ｓ２３ａにおいて、日付が更新されてからの所定時間を例えば、３時間に設定している場合は、以下のように日報集計処理が行なわれる。例えば、日付が更新された時点で前回の日報集計処理を実行した時刻（午後９時）から３時間が経過しているが、この時間帯の給油回数が少ないので、日報集計出力確認画面２７０（図５Ｃを参照）を液晶モニタ９０に表示する。また、日付が更新されてから３時間以上が経過している場合は、前回の日報集計処理を実行した時刻（午後９時）から６時間以上が経過している場合には、給油回数がかなり累積されている可能性が高いので日報集計出力確認画面２７０（図５Ｃを参照）の表示をせずにＳ２７〜Ｓ３０の処理を実行する。
【００６５】
このように、Ｓ２３ａにおいて、日付と時間とを組み合わせて日報作成の処理（Ｓ２７〜Ｓ２９）を実行するか、実行しないかを判断することも可能であり、利用者の使いやすい方法を適宜選択することができる。
【産業上の利用可能性】
【００６６】
尚、上記実施例では、ガソリンや軽油などの燃料を供給する燃料供給システムを例に挙げて説明したが、これに限らず、これ以外の燃料（例えば、ＣＮＧ、ＬＮＧ、ＬＰＧ、水素など）を供給する燃料供給システムにも本発明を適用することができるのは勿論である。
【００６７】
また、上記実施例では、燃料供給管理装置６０が燃料供給機５０と別体に設けられた構成を例示したが、これに限らず、燃料供給機５０の筐体に燃料供給管理装置６０が収納された一体構造とされたものにも本発明を適用することができるのは、勿論である。
【符号の説明】
【００６８】
１０  燃料供給システム
３０  地下タンク
４０  燃料供給配管
５０  燃料供給機
５２  ノズル
６０  燃料供給管理装置
７０  筐体
７２  前面パネル
８０  制御装置
９０  液晶モニタ
９２  プリンタ
９４  レシート発行口
１００  外側カードガイド部
１０２  カード挿入口
１１０  カードリーダユニット
１２０  記憶装置
２００  カード待ち画面
２０９  ガイダンス領域
２１０  集計釦
２１１〜２１８  油種釦
２２１〜２２４  数量選択釦
２２５  満タン給油選択釦
２２７  給油量入力釦
２３０  ノズル選択画面
２５０  給油量入力画面
２５２  テンキー
２５４  数値表示部
２５８  決定釦
２６０  日報出力画面
２７０  日報集計出力確認画面
【図１】
0005431840.tif 000002
【図２】
0005431840.tif 000003
【図３】
0005431840.tif 000004
【図４】
0005431840.tif 000005
【図５Ａ】
0005431840.tif 000006
【図５Ｂ】
0005431840.tif 000007
【図５Ｃ】
0005431840.tif 000008
【図６】
0005431840.tif 000009
【図７】
0005431840.tif 000010